(57)【要約】      （修正有）【課題】植物性粉末の特性を生かした、独特の色合い、および、匂いを有しており、デザイン性、機能性を有し、内部に物を収容可能である樹脂製素材およびその製造方法の提供。【解決手段】ポリプロピレン或いはポリスチレン樹脂から成る粉末状原材料に、茶、大豆等の植物性粉末を乾燥機により乾燥・精選粒子状とした粉末を、重量混合率１〜１０％混合し、押出機のフィーダに投入し、金型で押出成形を行い、外表面に植物性粉末の一部が露出している、植物性粉末入り樹脂製素材。【選択図】図１
2019014861.tif 000002
【特許請求の範囲】
【請求項１】
内部に物を収容可能であり、樹脂で形成された樹脂製素材であって、
樹脂に植物性粉末が混入されて形成されており、外表面に植物性粉末の一部が露出している樹脂製素材。
【請求項２】
重量含有量で１〜５０％の植物性粉末を含む請求項１に記載の樹脂製素材。
【請求項３】
植物性粉末が茶、ゆず、大豆または香辛料の粉末である請求項１又は２に記載の植物性粉末を含む樹脂製素材。
【請求項４】
樹脂がポリプロピレン（ＰＰ）またはポリスチレン（ＰＳ）である請求項１〜３のいずれかに記載の植物性粉末を含む樹脂製素材。
【請求項５】
植物を４０℃〜１２０℃のガス雰囲気中で、６０分〜１２００分間乾燥し、粉末化した植物性粉末を、重量含有量で１〜５０％の植物性粉末を含むように、主原材料の樹脂と混合し、押出成形を行い、外表面に植物性粉末の一部が露出している樹脂製素材の製造方法。
【発明の詳細な説明】
【技術分野】
【０００１】本発明は、内部に物を収容可能であり、樹脂で形成された樹脂製素材およびその製造方法に関する。
【背景技術】
【０００２】従来、樹脂で形成された樹脂製容器を形成するのに、廃棄された植物性の粉末を樹脂に混入された樹脂を用いる技術がある（特許文献１参照）。この技術は産業廃棄物の有効利用に寄与するために、植物性食品残廃物を主原材料として５０％以上を含み、重量含有量５０％以下を含む硬化材としてのポリプロピレン（ＰＰ）或いはポリスチレン（ＰＳ）よりなるボード材及びその製造方法である。
【先行技術文献】
【特許文献】
【０００３】
【特許文献１】特開２０００−５２３１９号公報
【発明の概要】
【発明が解決しようとする課題】
【０００４】従来技術の植物性物質と、ポリプロピレン（ＰＰ）等との樹脂との複合材料は、主として、廃棄物としての植物性材料の有効利用を図る、または、処理するための技術であり、その性質に注目するよりも、いかに多量の廃棄物を処理（利用）できるかに、注目したものと言ってよい。【０００５】本発明は、植物性粉末の特性を生かした、独特の色合い、および、匂いを有しており、デザイン性、機能性を有する樹脂製素材およびその製造方法を提供することを目的とする。
【課題を解決するための手段】
【０００６】（１）  内部に物を収容可能であり、樹脂で形成された樹脂製素材であって、
樹脂に植物性粉末が混入されて形成されており、外表面に植物性粉末の一部が露出している樹脂製素材。【０００７】（２）  重量含有量で１〜５０％の植物性粉末を含む（１）に記載の樹脂製素材。【０００８】（３）  植物性粉末が茶、ゆず、大豆または香辛料の粉末である（１）又は（２）に記載の植物性粉末を含む樹脂製素材。【０００９】（４）  樹脂がポリプロピレン（ＰＰ）またはポリスチレン（ＰＳ）である請求項（１）〜（３）のいずれかに記載の植物性粉末を含む樹脂製素材。【００１０】（５）  植物を４０℃〜１２０℃のガス雰囲気中で、６０分〜１２００分間乾燥し、粉末化した植物性粉末を、重量含有量で１〜５０％の植物性粉末を含むように、主原材料の樹脂と混合し、押出成形を行い、外表面に植物性粉末の一部が露出している樹脂製素材の製造方法。
【発明の効果】
【００１１】本発明のよる植物性粉末を含む樹脂製素材は、植物性粉末の特性を生かした、独特の色合い、および、匂いを有しており、デザイン性、機能性を有している。
【図面の簡単な説明】
【００１２】
【図１】本発明の実施形態の樹脂製容器（樹脂製素材）を示す写真である。（茶葉の粉末を用いた例を示す写真）
【図２】本発明の実施形態の樹脂製容器（樹脂製素材）を示す写真である。（大豆の粉末を用いた例を示す写真）
【図３】本発明の実施形態の樹脂製容器（樹脂製素材）を示す写真である。（茶葉の粉末を用いた例の拡大写真）
【図４】本発明の実施形態の樹脂製容器（樹脂製素材）を示す写真である。（大豆の粉末を用いた例の拡大写真）
【発明を実施するための形態】
【００１３】図１及び図２は、本発明の実施形態の樹脂製容器１（樹脂製素材）の外観を示す写真である。図１及び図２に示す例では、樹脂製容器１（樹脂製素材）は、茶筒形状に形成され、容器本体２から蓋３が取り外された状態を示している。
【００１４】図１及び図２に示すように、本発明の実施形態の樹脂製素材は、樹脂１０で形成されている。本実施形態において、樹脂製素材は、内部に物（例えば、茶葉等）を収容可能な樹脂製容器１に形成されている。樹脂製素材は、図１及び図２に示す例では、茶筒形状に形成されているが、任意の形状に形成することができる。
【００１５】樹脂製容器１（樹脂製素材）は、樹脂１０に植物性粉末２０が混入されて形成されており、外表面に植物性粉末２０の一部が露出している。図１に示す例では、樹脂製容器１（樹脂製素材）は、植物性粉末２０の一例である茶葉の粉末２１が混入されて形成されている。図２に示す例では、樹脂製容器１（樹脂製素材）は、植物性粉末２０の一例である大豆の粉末２２が混入されて形成されている。
【００１６】図３は、図１に示す樹脂製容器１（樹脂製素材）の外表面の拡大写真である。図４は、図２に示す樹脂製容器１（樹脂製素材）の外表面の拡大写真である。図３及び図４に示すように、樹脂製容器１（樹脂製素材）の外表面は主に樹脂１０により形成されており、部分的に植物性粉末２０（茶葉の粉末２１又は大豆の粉末２２）の一部が露出している。
【００１７】本実施形態の植物性粉末２０を含む樹脂製容器１（樹脂製素材）の製造においては、乾燥した植物性粉末２０と、樹脂１０の一例である、ポリプロピレン（ＰＰ）またはポリスチレン（ＰＳ）のペレットと、を混合して製造するが、その前処理としての乾燥処理を、行う必要がある。
【００１８】植物性粉末２０としては、例えば、茶葉や大豆の他、ゆず、コーヒー、香辛料、ハーブ等の乾燥状態で香りを発する植物性素材を粉砕した粉末を用いることが望ましい。例えば、茶葉や大豆やコーヒーやハーブ等は全体を乾燥後に粉砕して粉末にし、ゆず等の果実は、全体を用いてもよいが、皮のみを乾燥して用いてもよい。
【００１９】本実施形態に用いるポリプロピレン（ＰＰ）またはポリスチレン（ＰＳ）は、粉末ではなく、ペレット状のものを用いる。そのため、製品は濃淡のある模様になり、優れたデザイン性を持つ製品がえられる。なお、樹脂１０は、ポリプロピレン（ＰＰ）またはポリスチレン（ＰＳ）に限らず、任意の樹脂材料を用いることができる。また、樹脂１０は、バイオマスプラスチック樹脂であってもよい。
【００２０】植物性粉末２０は、植物を４０℃〜１２０℃のガス雰囲気中で、６０分〜１２００分間乾燥し、粉末化したものである。この植物性粉末２０を、重量含有量で１〜５０％の植物性粉末を含むように、主原材料の樹脂１０と混合し、押出成形を行い、外表面に植物性粉末２０の一部が露出している樹脂製容器１（樹脂製素材）を成形する。
【産業上の利用可能性】
【００２１】本発明の植物性粉末２０を含む樹脂製容器１（樹脂製素材）は、地域で生産された茶葉、大豆、ゆずを用いることとしている。地域の農業、製造業、土産ものとしての販売の促進に効果が期待されている。
【符号の説明】
【００２２】１  樹脂製容器（樹脂製素材）
２  容器本体
３  蓋
１０  樹脂
２０  植物性粉末
２１  茶葉の粉末
２２  大豆の粉末
【図１】
2019014861.tif 000003
【図２】
2019014861.tif 000004
【図３】
2019014861.tif 000005
【図４】
2019014861.tif 000006